(57)【特許請求の範囲】
【請求項１】
基台に立設したガイドポストに案内されて上下動可能の鋸刃ハウジングに、駆動ホイール及び従動ホイールを回転自在に備えると共に上記駆動ホイールと従動ホイールに掛回した帯鋸刃を案内する鋸刃ガイドを備え、かつ前記駆動ホイールを回転駆動する駆動モータを備えた横型帯鋸盤において、前記駆動ホイールを回転自在に支持する駆動側支持ベースと、前記従動ホイールを回転自在に支持する従動側支持ベースと、上記駆動側支持ベースと従動側支持ベースとを連結する連結ビーム部材とをそれぞれ別個に設け、前記連結ビームの一端部を、前記駆動側支持ベースに備えたビーム連結ブラケットに固定具を介して一体的に連結し、前記連結ビームの他端部を、前記従動側支持ベースに備えたビーム連結ブラケットに一体的に連結して組み合わせた構成であることを特徴とする横型帯鋸盤。
【請求項２】
請求項１に記載の発明において、ガイドポストによって案内される筒状のガイドブラケット及び駆動モータを取付けるためのモータ装着ブラケット並びに連結ビーム部材を連結するためのビーム連結ブラケットを駆動側支持ベースと一体に鋳造した構成であることを特徴とする横型帯鋸盤。
【請求項３】
請求項２に記載の発明において、筒状のガイドブラケットには、鋸刃ガイドを案内支持するガイド部材の一端側を固定支持するガイド取付ブラケット及び帯鋸刃を挟持案内する挟持案内部を取付ける挟持案内取付ブラケットを一体に鋳造してあることを特徴とする横型帯鋸盤。
【請求項４】
請求項２又は３に記載の発明において、駆動側支持ベースに、切粉切削油を下方向に誘導する切粉切削油誘導部を一体に鋳造してあることを特徴とする横型帯鋸盤。
【請求項５】
請求項１，２，３又は４に記載の発明において、駆動側支持ベースに回転自在に支持された駆動ホイールを回転駆動するための駆動モータを上記駆動側支持ベースの上側に設け、この駆動モータと前記駆動ホイールとをウオーム減速機構を介して連動連結した構成であることを特徴とする横型帯鋸盤。
【発明の詳細な説明】
【０００１】
【発明の属する技術分野】
本発明は横型帯鋸盤に係り、さらに詳細には帯鋸刃を掛回する駆動ホイール及び従動ホイールを回転自在に支持する鋸刃ハウジング部のコンパクト化、組立ての容易化等を図った横型帯鋸盤に関する。
【０００２】
【従来の技術】
本発明に係る従来の横型帯鋸盤は、図６，図７に示すごとき構成である。すなわち、ワーク（図示省略）を挾持固定するための固定バイスジョー２０１Ａと可動バイスジョー２０１Ｂとを備えたバイス装置２０１を上面に装着した基台２０３にはガイドポスト２０５が立設してあり、このガイドポスト２０５に鋸刃ハウジング２０７が上下動可能に案内支持されている。上記ガイドポスト２０５に沿って鋸刃ハウジング２０７を上下動するために、前記基台２０３と鋸刃ハウジング２０７との間には昇降作動用の流体圧シリンダ（図示省略）が介在してある。
【０００３】
前記鋸刃ハウジング２０７は駆動ホイール（図示省略）を回転自在に内装した駆動ホイールハウジング２０９と従動ホイール（図示省略）を回転自在に内装した従動ホイールハウジング２１１とを左右に離隔して備えており、上記駆動ホイールハウジング２０９と従動ホイールハウジング２１１との間に設けたビーム部材２１３には操作盤２１５が適宜に取付けてあると共に左右方向に長いガイド部材２１７が適宜に取付けてある。
【０００４】
そして、前記駆動ホイールと従動ホイールとに掛回した帯鋸刃２１９を挾持案内する挾持案内部を下端部に備えた一対の鋸刃ガイド２２１Ａ，２２１Ｂが前記ガイド部材２１７に位置調節可能に取付けてあると共に、前記駆動ホイールを回転駆動するための駆動モータ等の駆動、減速ユニット２２３が前記駆動ホイールハウジング２０９の背面に装着してある。
【０００５】
ところで、図８に示すように、従来の横型帯鋸盤における前記鋸刃ハウジング２０７において駆動ホイールを回転自在に支持する駆動側支持ベース２２５と従動ホイールを回転自在に支持する従動側支持ベース２２７は肉厚の大きい鋼板により一体に構成してあり、上記駆動側支持ベース２２５と従動側支持ベース２２７との間には補強用のビーム部材２２９が溶接等によって一体に設けてある。
【０００６】
そして、前記各支持ベース２２５，２２７に溶接によって固定した一対のブラケット２３１Ａ，２３１Ｂに連結部材２１６の両端部が固定してあり、この連結部材２１６に断面形状が台形状の前記ガイド部材２１７がボルト等の固定具によって一体に固定してある。そして、このガイド部材２１７に、スライドチップ２３０を介して前記鋸刃ガイド２２１Ａ（２２１Ｂ）が位置調節可能に取付けてある。また、前記ブラケット２３１Ａには、前記ガイドポスト２０５によって上下に案内される筒状のガイドブラケット２３３が複数のボルト等によって一体に設けられるものである。
【０００７】
さらに、前記駆動側支持ベース２２５の裏面には、駆動、減速ユニット２２３として、駆動ホイールを回転自在に軸支する駆動ミッションユニット２３５が複数のボルトを介して取付けられるものであり、この駆動ミッションユニット２３５には、セッテングバー２３７，セッテングパイプ２３９，ヒンジシャフト２４１およびテンションスプリング２４３等を介してモータベース２４５が適宜に装着される。
【０００８】
そして、上記モータベース２４５に装着した駆動モータ２４７の出力軸２４７Ａに取付けた駆動プーリ２４９と前記駆動ミッションユニット２３５の入力軸２３５Ａに取付けた従動プーリ２５１とにはベルト２５３が掛回してあり、上記駆動プーリ２４９，従動プーリ２５１及びベルト２５３等はプーリカバー２５５によって覆われる構成である。
【０００９】
【発明が解決しようとする課題】
上記説明より理解されるように、従来構成においては駆動側支持ベース２２５と従動側支持ベース２２７とが鋼板による一体構成であるので、大型で重量大であって各部の機械加工を行うとき、取り扱いが厄介であると共に機械加工が厄介であるという問題がある。
【００１０】
また、駆動側支持ベース２２５に筒状のガイドブラケット２３３をボルト等によって固定すると共に、上記駆動側支持ベース２２５の裏面に駆動ミッションユニット２３５を取付け、この駆動ミッションユニット２３５にモータベース２４５を介して駆動モータ２４７を装着する構成であり、しかも駆動ミッションユニット２３５と駆動モータ２４７とをプーリ２４９，２５１，ベルト２５３を介して連動連結する構成である。さらにガイド部材２１７等もボルト等によって組付ける構成であり、要は従来構成においては組立部品が多く構成複雑であると共に組立作業が厄介であるという問題がある。
【００１１】
【課題を解決するための手段】
本発明は前述のごとき従来の問題に鑑みてなされたもので、請求項１に係る発明は、基台に立設したガイドポストに案内されて上下動可能の鋸刃ハウジングに、駆動ホイール及び従動ホイールを回転自在に備えると共に上記駆動ホイールと従動ホイールに掛回した帯鋸刃を案内する鋸刃ガイドを備え、かつ前記駆動ホイールを回転駆動する駆動モータを備えた横型帯鋸盤において、前記駆動ホイールを回転自在に支持する駆動側支持ベースと、前記従動ホイールを回転自在に支持する従動側支持ベースと、上記駆動側支持ベースと従動側支持ベースとを連結する連結ビーム部材とをそれぞれ別個に設け、前記連結ビームの一端部を、前記駆動側支持ベースに備えたビーム連結ブラケットに固定具を介して一体的に連結し、前記連結ビームの他端部を、前記従動側支持ベースに備えたビーム連結ブラケットに一体的に連結して組み合わせた構成である。
【００１２】
請求項２に係る発明は、請求項１に記載の発明において、ガイドポストによって案内される筒状のガイドブラケット及び駆動モータを取付けるためのモータ装着ブラケット並びに連結ビーム部材を連結するためのビーム連結ブラケットを駆動側支持ベースと一体に鋳造した構成である。
【００１３】
請求項３に係る発明は、請求項２に記載の発明において、筒状のガイドブラケットには、鋸刃ガイドを案内支持するガイド部材の一端側を固定支持するガイド取付ブラケット及び帯鋸刃を挟持案内する挟持案内部を取付ける挟持案内取付ブラケットを一体に鋳造した構成である。
【００１４】
請求項４に係る発明は、請求項２又は３に記載の発明において、駆動側支持ベースに、切粉切削油を下方向に誘導する切粉切削油誘導部を一体に鋳造した構成である。
【００１５】
請求項５に係る発明は、請求項１，２，３又は４に記載の発明において、駆動側支持ベースに回転自在に支持された駆動ホイールを回転駆動するための駆動モータを上記駆動側支持ベースの上側に設け、この駆動モータと前記駆動ホイールとをウオーム減速機構を介して連動連結した構成である。
【００１６】
【発明の実施の形態】
図１を参照するに、本発明の実施の形態例に係る横型帯鋸盤１は、ワーク（図示省略）を挾持固定するための固定バイスジョー３Ａと可動バイスジョー３Ｂを備えたバイス装置３を上面に装着した基台５を備えており、この基台５にはガイドポスト７及びサブガイドポスト９が立設してある。
【００１７】
上記ガイドポスト７及びサブガイドポスト９には鋸刃ハウジング１１が上下動可能に案内支持されている。上記鋸刃ハウジング１１は、エンドレス状の帯鋸刃１３を掛回した駆動ホイール（図示省略）を回転自在に内装した駆動ホイールハウジング１５と従動ホイール（図示省略）を内装した従動ホイールハウジング１７とを左右方向に離隔して備えており、上記駆動ホイールハウジング１５と従動ホイールハウジング１７は連結ビーム部材１９を介して一体的に連結してある。
【００１８】
また、前記鋸刃ハウジング１１には前記ガイドポスト７によって上下動可能に案内される筒状のガイドブラケット２１が一体に設けてあると共に駆動ホイールを回転駆動するための駆動モータ２２が装着してある。さらに左右方向に延伸したガイド部材２３の一端側は、上記ガイドブラケット２１に一体に設けたガイド取付ブラケット２１Ａに固定されており、他端側は適宜形状の支持ブラケット（図示省略）を介して前記連結ビーム部材１９に一体的に取付けてある。このガイド部材２３には、前記帯鋸刃１３を挾持案内する挾持案内部２５Ａを備えた鋸刃ガイド２５が位置調節可能に支持されている。上記挾持案内部２５Ａと対をなす固定側の挾持案内部２７Ａは前記ガイドブラケット２１に一体に設けた挟持案内取付ブラケット２１Ｃに取付けてある。
【００１９】
前記鋸刃ハウジング１１を上下動するために、前記基台５と鋸刃ハウジング１１との間には昇降作動用の流体圧シリンダ２９が介在してある。なお、前記サブガイドポスト９に沿って鋸刃ハウジング１１が上下に案内される構成は公知であるから、その構成については説明を省略する。
【００２０】
前記鋸刃ハウジング１１の構成についてさらに詳細に説明すると、図２に概略的に示すように、駆動ホイールハウジング１５において駆動ホイール３１を回転自在に軸支する駆動側支持ベース３３と従動ホイール３５を回転自在に支持する従動側支持ベース３７は別個に設けてあり、上記駆動側支持ベース３３と従動側支持ベース３７はボルト等の固定具（図示省略）によって角パイプ状の連結ビーム部材１９の両側に互に固定することによって一体的に連結してある。
【００２１】
駆動側支持ベース３３についてさらに詳細に説明すると、図３〜図５より明らかなように、前記駆動ホイール３１を回転自在に軸支する前記駆動側支持ベース３３には筒状の前記ガイドブラケット２１が垂直にかつ一体に設けてあり、このガイドブラケット２１には前記ガイド部材２３の一端側をボルト等の固定具を介して固定支持するガイド取付ブラケット２１Ａが鋳造によって一体に形成してあると共に、前記流体圧シリンダ２９に上下動可能に備えたピストンロッド先端部を連結するピストンロッド連結部２１Ｂが一体に鋳造してある。さらに、前記ガイドブラケット２１の下部には、前記挟持案内部２７Ａを取付けるための挟持案内取付ブラケット２１Ｃが一体に鋳造してある。なお、前記ピストンロッド連結部２１Ｂと前記挟持案内ブラケット２１Ｃは、ガイドブラケット２１の周面に位相をずらして設けられているものである。
【００２２】
また、前記駆動側支持ベース３３の上部には前記連結ビーム部材１９の一端部と複数のボルト等の固定具を介して一体的に連結するためのビーム連結ブラケット４１が一体に設けてあると共に前記駆動モータ２２を取付けるための環状（フランジ状）のモータ装着ブラケット４３が一体に設けてある。さらに、駆動側支持ベース３３には、帯鋸刃１３に付着して当該駆動側支持ベース３３に落下した切粉や切削油を下方向へ誘導する突状の切粉切削油誘導部３３Ａが一側部に上下方向に形成してある。
【００２３】
上記駆動側支持ベース３３と筒状のガイドブラケット２１とビーム連結ブラケット４１とモータ装着ブラケット４３は一体に鋳造することによって形成されている。
【００２４】
前記駆動側支持ベース３３に形成したボス部３３Ｂには、図４に示すように支持軸４５が固定してあり、この支持軸４５に軸受を介して回転可能に支持された回転スリーブ４７にはウオームホイール４９が複数のボルト（図示省略）を介して一体的に固定してあると共に前記駆動ホイール３１が複数のボルトを介して一体的に取付けてある。そして、上記ウオームホイール４９には、図３に示すように、駆動側支持ベース３３に軸受５０を介して回転自在に支持されたウオーム軸５１に備えたウオーム５３が噛合してある。このウオーム軸５１は、前記駆動モータ２２の出力軸２２Ａとカップリング５５を介して連動連結してある。
【００２５】
したがって、駆動モータ２２を駆動すると、ウオーム減速機構を介して駆動ホイール３１が回転駆動され、この駆動ホイール３１と従動ホイール３５とに掛回した帯鋸刃１３が走行駆動されて、バイス装置３に挾持固定されたワークの切断加工が行われることになる。
【００２６】
前記従動側支持ベース３７は前記駆動側支持ベース３３とは別個に形成されており、かつ従動側支持ベース３７は前記連結ビーム部材１９とのビーム連結ブラケット５７を一体に備えた構成である。なお、従動側支持ベース３７に対する従動ホイール３５の装着は従来の一般的な構成と同一の構成で良いものであるから、従動側支持ベース３７に対する従動ホイール３５の装着構成の詳細については説明を省略する。
【００２７】
既に理解されるように、本例においては、駆動側支持ベース３３と従動側支持ベース３７とを別個に設けて連結ビーム部材１９を介して一体的に連結してあるので、駆動側、従動側の各支持ベース３３及び連結ビーム部材１９をそれぞれ別個に機械加工して組立てることができ、全体を一体化してある構成に比較して、機械加工を比較的容易に行うことができるものである。また、例えば連結ビーム部材１９の長さを変えることによって駆動側支持ベース３３と従動側支持ベース３７との間の寸法を変更することができ、大きさの異なる横型帯鋸盤に対して容易に対応可能なものである。
【００２８】
また、本例において、駆動側支持ベース３３は、ガイドポスト７によって上下に案内される筒状のガイドブラケット２１，駆動モータ２２を取付けるためのモータ装着ブラケット４３及び連結ビーム部材１９を連結するためのビーム連結ブラケット４１を一体に鋳造した構成であるから、必要な部分の機械加工を行うことにより各構成部分の相互の位置的関係を高精度に保持することができるものであり、上記各構成部分をボルト等を用いて互いに一体的に固定したり、溶接等によって一体化する工程が不要であって、全体の製造が容易なものである。
【００２９】
さらに、本例においては、駆動側支持ベース３３に回転自在に支持された駆動ホイール３１を回転駆動するための駆動モータ２２は駆動側支持ベース３３の上部に軸心が上下方向となるように装着してある。そして、駆動ホイール３１と駆動モータ２２は、駆動モータ２２の出力軸２２Ａと同軸心上に配置されかつカップリング５５を介して連結されたウオーム軸５１に備えたウオーム５３を、駆動ホイール３１に取付けたウオームホイール４９に噛合した構成のウオーム減速機構を介して連動連結してあるので、駆動モータ２２の装着が容易であると共に全体的構成のコンパクト化が容易なものである。
【００３０】
ところで、上記説明においては鋸刃ガイド２５をガイド部材２３に装着する場合について説明したが、横型帯鋸盤がより大型になり、帯鋸刃１３の歯先を垂直下方向に指向せしめるための捩り角が大きくなる場合には、駆動ホイール３１，従動ホイール３５の回転軸は水平に近くなり、駆動側支持ベース３３，従動側支持ベース３７の傾斜はほぼ垂直に近くなる。したがって、この場合には、連結ビーム部材１９が駆動ホイール３１，従動ホイール３５のほぼ垂直上方位置に位置するようになる。よって、上記構成の場合には、図９に示すように、連結ビーム部材１９にガイド部材２３Ａ，２３Ｂを設けて、このガイド部材２３Ａ，２３Ｂによって鋸刃ガイド２５を支持する構成とすることができる。
【００３１】
すなわち、本発明は適宜の変更を行うことにより前記例の他に種々の態様でもって実施可能なものである。
【００３２】
【発明の効果】
以上のごとき説明より理解されるように、本発明によれば、駆動側支持ベース、従動側支持ベース及び連結ビーム部材をそれぞれ個別に機械加工できるので、各構成部分の機械加工が容易であると共に、連結ビーム部材を種々の寸法とすることにより、種々の大きさに対応可能となるものである。
【００３３】
また、駆動側支持ベース、筒状のガイドブラケット、モータ装着ブラケット及びビーム連結ブラケットが一体に鋳造された構成であるから、製造が容易であると共に各構成部分の位置的関係を高精度に保持することができると共に組立部分が少なくなり、組立作業がより容易になるものである。
【００３４】
また、筒状のガイドブラケットには、鋸刃ガイドを案内支持するガイド部材の一端側を固定支持するガイド取付ブラケット及び帯鋸刃を挟持案内する挟持案内部を取付ける挟持案内取付ブラケットを一体に鋳造してあるから、ガイド部材及び上記挟持案内部の取付けを容易に行い得るものである。
【００３５】
さらに、駆動側支持ベースに、切粉切削油を下方向に誘導する切粉切削油誘導部を一体に鋳造してあるから、帯鋸刃に付着して駆動側支持ベースへ切粉，切削油が運ばれ、駆動側支持ベースに上記切粉等が落下した場合であっても、前記切粉切削油誘導部によって下方向へ誘導して所定位置に排出することができるものである。
【００３６】
さらにまた、駆動モータが駆動側支持ベースの上側に装着されると共に駆動モータと駆動ホイールとをウオーム減速機構を介して連動連結した構成であるから、組立作業時における駆動モータの装着が容易であると共に全体的構成のコンパクト化を図ることができるものである。
【図面の簡単な説明】
【図１】本発明の実施の形態に係る横型帯鋸盤の斜視説明図である。
【図２】駆動側支持ベースと従動側支持ベース及び連結ビーム部材の関係を概略的に示した斜視説明図である。
【図３】駆動側支持ベースと筒状のガイドブラケットとモータ装着ブラケットとビーム連結ブラケットとの関係を示すと共に駆動ホイールと駆動モータとの連動連結の構成を示した正面説明図である。
【図４】図３におけるＩＶ−ＩＶ線に沿った断面説明図である。
【図５】図３におけるＶ−Ｖ線に沿った断面説明図である。
【図６】従来の横型帯鋸盤の構成を示す正面説明図である。
【図７】同上の右側面説明図である。
【図８】同上の鋸刃ハウジング部の概略的な分解斜視説明図である。
【図９】ビーム連結部材に鋸刃ガイドを支持するガイド部材を設けた構成の説明図である。
【符号の説明】
１  横型帯鋸盤
３  バイス装置
５  基台
７  ガイドポスト
１１  鋸刃ハウジング
１３  帯鋸刃
１９  連結ビーム部材
２１  筒状のガイドブラケット
２２  駆動モータ
３１  駆動ホイール
３３  駆動側支持ベース
３５  従動ホイール
３７  従動側支持ベース
４１  ビーム連結ブラケット
４３  モータ装着ブラケット
４５  支持軸
４９  ウオームホイール
５１  ウオーム軸
５３  ウオーム
【図１】
0004353555.tif 000002
【図２】
0004353555.tif 000003
【図３】
0004353555.tif 000004
【図４】
0004353555.tif 000005
【図５】
0004353555.tif 000006
【図６】
0004353555.tif 000007
【図７】
0004353555.tif 000008
【図８】
0004353555.tif 000009
【図９】
0004353555.tif 000010